(57)【要約】【課題】本発明は、省スペース化を図り得る支持装置及び縦置型電子機器を提案する。【解決手段】本発明は、支持対象を支持する台座と、台座に設けられた転倒防止用の突起部と、台座に設けられた、他の台座の突起部を挿入するための挿入口とを設けるようにした。【選択図】        図３
2004281944.tif 000002
【特許請求の範囲】
【請求項１】
支持対象を支持する台座と、
上記台座に設けられた転倒防止用の突起部と、
上記台座に設けられた、他の上記台座の上記突起部を挿入するための挿入口と
を具えることを特徴とする支持装置。
【請求項２】
上記台座に設けられ、予め定められた複数の上記載置位置のうち上記台座に対する上記支持対象の載置位置を変更自在に位置決めするための位置決め手段
を具えることを特徴とする請求項１に記載の支持装置。
【請求項３】
電子機器本体を支持する台座を具え、
上記台座は、
上記台座に設けられた転倒防止用の突起部と、
上記台座に設けられた、他の上記台座の上記突起部を挿入するための挿入口と
を有することを特徴とする電子機器。
【請求項４】
上記台座は、
予め定められた複数の上記載置位置のうち上記台座に対する上記支持対象の載置位置を変更自在に位置決めするための位置決め手段
を具えることを特徴とする請求項３に記載の電子機器。
【発明の詳細な説明】
【０００１】
【発明の属する技術分野】
本発明は支持装置及び電子機器に関し、例えば縦置型の電子機器（以下、これを縦置型電子機器と呼ぶ）に適用して好適なものである。
【０００２】
【従来の技術】
従来、縦置型電子機器においては、横置型電子機器に比して配置スペースを小さくできる。近年、この縦置型電子機器に対するユーザのニーズが高まっており、パーソナルコンピュータやＤＶＤ（Ｄｉｇｉｔａｌ  Ｖｅｒｓａｔｉｌｅ  Ｄｉｓｋ）ドライブ等の各種電子機器が縦置型として商品化されている。
【０００３】
具体的に縦置型電子機器は、本体と、この本体を支持する支持台とを有し、当該支持台の側面には、当該電子機器本体に対する転倒防止用の突起部（以下、これを転倒防止突起部と呼ぶ）が設けられている（例えば特許文献１）。
【０００４】
【特許文献１】
特開２０００−３０１０４３号公報（第２図）
【０００５】
【発明が解決しようとする課題】
ところで、この種の縦置型電子機器に対するニーズが高まるにつれ、１組のデザインシステムとしての商品化等により、複数の縦置型電子機器を並べることが想定される。
【０００６】
しかしながら、複数の縦置型電子機器を並べた場合、各縦置型電子機器の支持台に設けられている転倒防止突起部の分だけ、当該各縦置型電子機器間に隙間が生じるため、従来提案されている縦置型電子機器では、省スペース化が図れなくなるという問題がある。
【０００７】
本発明は以上の点を考慮してなされたもので、省スペース化を図り得る支持装置及び当該支持装置を有する電子機器を提案しようとするものである。
【０００８】
【課題を解決するための手段】
かかる課題を解決するため本発明においては、支持装置において、支持対象を支持する台座と、台座に設けられた転倒防止用の突起部と、台座に設けられた、他の台座の突起部を挿入するための挿入口とを設けるようにした。
【０００９】
従って、この支持装置では、他の台座が並べられた場合であっても、自身の突起部と他の台座の突起部とによって生じる隙間を回避すことができる。
【００１０】
また本発明においては、電子機器において、台座に設けられた転倒防止用の突起部と、台座に設けられた、他の上記台座の上記突起部を挿入するための挿入口とを設けるようにした。
【００１１】
従って、この電子機器では、他の台座が並べられた場合であっても、自身の突起部と他の台座の突起部とによって生じる隙間を回避すことができる。
【００１２】
【発明の実施の形態】
以下、図面について、本発明の一実施の形態を詳述する。
【００１３】
図１において、１は全体として縦置型電子機器を示し、本体２と、当該本体２を支持する支持台３とによって構成されており、当該本体２の内部にはワイヤレステレビに各種情報を送信する送信ユニットが搭載されている。
【００１４】
そして縦置型電子機器１は、本体２内に搭載された送信ユニットを介して外部機器との間で各種情報を送受信し得るようになされている。
【００１５】
本体２は、図２に示すように、例えばＡＢＳ樹脂（アクリロニトリルスチレン共重合樹脂）等の非導電性部材で形成された右キャビネット２Ａ、左キャビネット２Ｂ、前キャビネット２Ｃ、フロントパネル３Ａ及び各種部品が取り付けられたリアパネル３Ｂと、送信ユニット４とを有し、当該送信ユニット４をキャビネット２Ａ〜２Ｃ、パネル３Ａ及び３Ｂによって前後左右から包み込むようにして嵌合されることにより、全体として流線形を帯びた縦薄型に構成される。
【００１６】
支持台３は、図３に示すように、本体２を支持する略四角錘台形状の台座１１と、蒲鉾形状の一対の転倒防止突起部１２Ａ及び１２Ｂとを有し、当該台座１１と、転倒防止突起部１２Ａ及び１２Ｂとを一体形成することにより、全体として流線形を帯びた形状に構成される。
【００１７】
台座１１には、その底面部において所定の滑り止め部１０Ａ及び１０Ｂが取り付けられており、これにより支持台３は、より安定した状態で縦置型電子機器１を支持し得るようになされている。
【００１８】
またこの支持台３では、台座１１の横幅が本体２（図１）の横幅とほぼ同じ長さに選定され、また台座１１に取り付けた滑り止め部１０Ａ及び１０Ｂとの兼ね合い等を考慮して転倒防止突起部１２Ａ及び１２Ｂが可能な限り小さく選定されている。
【００１９】
従って、支持台３においては、体裁上、本体２に溶け込むようにすっきりとしつつ本体２を支持し得るようになされている。
【００２０】
かかる構成に加えて、台座１１の側面部には、ほぼ中央において当該上面部の長辺と平行にねじ孔１３Ａ及び１３Ｂが所定の距離だけ隔てて穿設され、また当該長辺と平行な所定の仮想線を介して当該ねじ孔１３Ａ及び１３Ｂとの対称位置に係合爪１４Ａ及び１４Ｂが一体形成されている。
【００２１】
一方、本体２の底面部には、図４に示すように、台座１１のねじ孔１３Ａ及び１３Ｂに対応するねじ２２を固定するためのねじ止め部２０が内側に設けられている。
【００２２】
また本体２の底面部には、台座１１のねじ孔１３Ａと、本体２のねじ止め部２０とをねじ２２で固定した場合に、当該台座１１の係合爪１４Ａ及び１４Ｂにそれぞれ対応する位置に係合部２１Ａ及び２１Ｂが穿設され、これに対して、台座１１のねじ孔１３Ｂと、本体２のねじ止め部２０とをねじ２２で固定した場合に、当該台座１１の係合爪１４Ａ及び１４Ｂにそれぞれ対応する位置に係合部２１Ｂ及び２１Ｃが穿設されている。
【００２３】
これにより縦置型電子機器１では、本体２に対する支持台３の載置位置を、ねじ孔１３（１３Ａ、１３Ｂ）とねじ止め部２０とをねじ２２によって変更自在に固定し得ると共に、係合爪１４（１４Ａ、１４Ｂ）と係合部２１（２１Ａ、２１Ｂ、２１Ｃ）とによって変更自在に位置決めし得るようになされている。
【００２４】
またこれに加えて、台座１１の側部には、他の縦置型電子機器の台座に設けられた転倒防止突起部に対応する形状でなる一対の切り欠き部１５Ａ及び１５Ｂが所定位置に形成されている。これにより台座１１は、他の縦置型電子機器の台座に設けられた転倒防止突起部を嵌め込み得るようになされている。
【００２５】
これにより縦置型電子機器１では、例えば図５に示すように、当該縦置型電子機器１と同一構成の縦置型電子機器５０を並べられた場合に、この縦置型電子機器５０の支持台５３の固定位置とは異なる例えばねじ孔１３Ｂを用いて固定すれば、台座１１の側部脇に縦置型電子機器５０を設置した場合であっても、切り欠き部１５Ａが転倒防止突起部６２Ｂを台座１１のスペース内に入れ込むと共に、転倒防止突起部１２Ｂが縦置型電子機器５０における本体５２と支持台５３との隙間に位置する。
【００２６】
従って、縦置型電子機器１では、縦置型電子機器５０の本体５２との面位置を合わせた状態で、転倒防止突起部１２Ｂ及び６２Ｂによって生じる隙間を回避することができ、全体としてあたかも１つの装置のように体裁上すっきりさせることができるようになされている。
【００２７】
またこの場合、縦置型電子機器１では、切り欠き部１５Ａが転倒防止突起部６２Ｂに対応する形状で形成されていることにより、当該転倒防止突起部６２Ｂを台座１１のスペース内に入れ込むのみならず、嵌め押さえて縦置型電子機器５０とのぶれを回避することができるようになされている。
【００２８】
以上の構成において、この縦置型電子機器１は、他の縦置型電子機器５０の転倒防止突起部６２Ｂ（６２Ａ）を挿入するための切り欠き部１５Ｂ（１５Ａ）を設けるようにしたことにより、当該縦置型電子機器５０を並べられた場合であっても、当該縦置型電子機器５０との間における隙間を回避して体裁上すっきりさせることができるため、省スペース化を図ることができる。
【００２９】
またこの縦置型電子機器１では、台座１１に対する本体２の載置位置を変更自在に位置決めするための係合爪１４Ａ及び１４Ｂを設けるようにしたことにより、他の縦置型電子機器５０やそれ以外の縦置型電子機器を交互に複数並べることができるため、複数の電子機器間の隙間を回避して体裁上すっきりさせて並べることができ、かくして、省スペース化を図ることができる。
【００３０】
この結果、他の縦置型電子機器５０やそれ以外の類似デザインでなる縦置型電子機器の収集意欲を向上させることができるため、１組のシリーズでなる縦置型電子機器としての商品価値の向上を期待できる。
【００３１】
以上の構成によれば、他の縦置型電子機器５０の転倒防止突起部６２Ｂを挿入するための切り欠き部６５Ｂを設けるようにしたことにより、当該縦置型電子機器５０を並べられた場合であっても、当該縦置型電子機器５０との間における隙間を回避回避して体裁上すっきりさせることができ、かくして、省スペース化を図ることができる。
【００３２】
なお上述の実施の形態においては、他の台座の転倒防止突起部６２Ｂ（６２Ａ）を挿入するための挿入口として、転倒防止突起部１２Ａ（１２Ｂ）に対応する形状でなる切り欠き部１５Ａ（１５Ｂ）を本発明に適用するようにした場合について述べたが、本発明はこれに限らず、例えば転倒防止突起部１２Ａ（１２Ｂ）に対応する形状よりも大きな切り欠きを部を設けたり、当該形状でなる開口を中空の台座に設けるようにしたり、転倒防止突起部１２Ａ（１２Ｂ）と切り欠き部１５Ａ（１５Ｂ）とを順次交互にジグザグ状にする等、要は、他の台座の突起部を挿入するための挿入口であれば、その形状、数、位置は問わない。
【００３３】
この場合、特に、転倒防止突起部１２Ａ（１２Ｂ）と切り欠き部１５Ａ（１５Ｂ）とを順次交互にジグザグ状にすれば、縦置型電子機器５０やそれ以外の縦置型電子機器を交互に複数並べた場合に、省スペース化を図りながら隣接する縦置型電子機器との間におけるずれを防止できる。
【００３４】
また上述の実施の形態においては、予め定められた複数の載置位置のうち台座に対する支持対象の載置位置を変更自在に位置決めするための位置決め手段として、台座１１の載置面に設けられた２つの係合爪１４Ａ及び１４Ｂを本発明に適用するようにした場合について述べたが、本発明はこれに限らず、例えば台座１１の側部の両側における所定位置に設けられた係合爪を本体２に挟み込むようにしても良く、予め定められた複数の載置位置を有するガイド溝を台座１１の所定部分に設けて摺動自在にするようにしても良い。このようにすれば、必ずしも台座１１を本体２にねじ固定することなく位置決めすることができ、使い勝手を向上することができる。
【００３５】
さらに上述の実施の形態においては、ワイヤレステレビの送信ユニットが搭載された縦置型電子機器１（５０）を本発明に適用するようにした場合について述べたが、本発明はこれに限らず、例えばＤＶＤ（Ｄｉｇｉｔａｌ  Ｖｅｒｓａｔｉｌｅ  Ｄｉｓｋ）ドライブ、ＨＤＤ（Ｈａｒｄ  Ｄｉｓｋ  Ｄｒｉｖｅ）  、オーディオアンプ又はチューナ等のこの他種々のユニットが搭載された縦置型電子機器に本発明を幅広く適用することができる。
【００３６】
さらに上述の実施の形態においては、支持対象である本体２を支持する台座として、図３に示した略四角錘台形状の台座１１を本発明に適用するようにした場合について述べたが、本発明はこれに限らず、この他種々の形状の台座を本発明に適用することができる。
【００３７】
さらに上述の実施の形態においては、台座１１に設けられた転倒防止用の突起部として、蒲鉾形状でなる転倒防止突起部１２Ａ及び１２Ｂ（６２Ａ及び５２Ｂ）を本発明に適用するようにした場合について述べたが、本発明はこれに限らず、この他種々の形状の突起部を本発明に適用することができる。
【００３８】
この場合、例えば突起部の先を上側に反らせて係合爪として形成し、この係合爪に対応する係合部を他の台座に設けるようにすれば、縦置型電子機器５０やそれ以外の縦置型電子機器を交互に複数並べた場合に、省スペース化を図りながら強固に結合できる。
【００３９】
さらに上述の実施の形態においては、図２及び図３に示した形状でなる本体２及び支持台３によって、図１（図５）に示した縦置電子機器１（５０）を構成するようにした場合について述べたが、本発明はこれに限らず、この他種々の形状でなる本体及び支持台によって縦置電子機器を構成するようにしても良い。
【００４０】
さらに上述の実施の形態においては、本体２と支持台３とをねじ２２で固定するするようにした場合について述べたが、本発明はこれに限らず、本体２と支持台３と一体形成するようにしても良い。
【００４１】
【発明の効果】
上述のように本発明によれば、支持装置において、支持対象を支持する台座と、台座に設けられた転倒防止用の突起部と、台座に設けられた、他の台座の突起部を挿入するための挿入口とを設けるようにしたことにより、他の台座が並べられた場合であっても、自身の突起部と他の台座の突起部とによって生じる隙間を回避すことができ、かくして、省スペース化を図ることができる。
【００４２】
また本発明においては、電子機器において、台座に設けられた転倒防止用の突起部と、台座に設けられた、他の上記台座の上記突起部を挿入するための挿入口とを設けるようにしたことにより、他の台座が並べられた場合であっても、自身の突起部と他の台座の突起部とによって生じる隙間を回避すことができ、かくして、省スペース化を図ることができる。
【００４３】
【図面の簡単な説明】
【図１】本発明を適用した縦置型電子機器の構成を示す略線図である。
【図２】本体の構成を示す略線図である。
【図３】支持台の構成を示す略線図である。
【図４】本体と支持台との取り付けの説明に供する略線図である。
【図５】縦置型電子機器の設置例を示す略線図である。
【符号の説明】
１、５０……縦置型電子機器、２、５２……本体、３、５３……支持台、１１……台座、１２Ａ、１２Ｂ、６２Ａ、６２Ｂ……転倒防止突起部、１３Ａ、１３Ｂ……ねじ孔、１４Ａ、１４Ｂ……係合爪、１５Ａ、１５Ｂ、６５Ａ、６５Ｂ……切り欠き部、２０……ねじ止め部、２１Ａ〜２１Ｃ……係合部。
【図１】
2004281944.tif 000003
【図２】
2004281944.tif 000004
【図３】
2004281944.tif 000005
【図４】
2004281944.tif 000006
【図５】
2004281944.tif 000007